(57)【要約】【課題】電子機器の各種設定において誤操作のおそれを低減する。【解決手段】設定画面にアイコン画像ＩＡ〜ＩＨとスイッチ画像Ｓｗとが表示される。アイコン画像ＩＡ〜ＩＨは、各機能の種別を示す画像（種別画像）である。また、スイッチ画像Ｓｗは、各機能の状態を切り替えるための画像（切替画像）である。ユーザは、ある機能の状態を切り替えるとき、まず、アイコン画像ＩＡ〜ＩＨのいずれかを選択する。電子機器は、この操作に応じて、選択されたアイコン画像に対応する機能の状態をスイッチ画像Ｓｗの表示態様（オン又はオフ）によって示す。その後、ユーザがスイッチ画像Ｓｗを選択すると、電子機器は、選択されたアイコン画像に対応する機能の状態を切り替える。【選択図】図３
2014085767.tif 000002
【特許請求の範囲】
【請求項１】
電子機器の切り替え可能な状態の種別を示す種別画像と、前記状態を切り替えるための切替画像とを表示手段に表示させる表示制御部と、
前記種別画像と前記切替画像とに対するユーザの操作を検出する検出部と、
前記検出部により、前記種別画像に対する第１の操作が検出された後に前記切替画像に対する第２の操作が検出されると、前記状態を切り替える処理を実行する処理実行部と
を備える制御装置。
【請求項２】
前記表示制御部は、
複数の種別毎の複数の前記種別画像と、前記種別画像の数よりも少ない数の前記切替画像とを表示させ、
前記処理実行手段は、
前記複数の種別画像のいずれかに対する前記第１の操作が検出された後に前記第２の操作が検出されると、当該第１の操作が検出された前記種別画像に対応する前記状態を切り替える
請求項１に記載の制御装置。
【請求項３】
前記表示制御部は、
前記種別画像に対する前記第１の操作が検出されると、前記電子機器の当該種別画像が示す種別の状態を前記切替画像の表示態様によって示す
請求項２に記載の制御装置。
【請求項４】
前記表示制御部は、
前記種別画像に対する前記第１の操作が検出されると、当該種別画像が示す種別に関連付けられた説明を表示させる
請求項１ないし３のいずれか１項に記載の制御装置。
【請求項５】
前記第１の操作及び前記第２の操作のそれぞれに応じた触覚的なフィードバックを実行するよう制御するフィードバック制御部を備える
請求項１ないし４のいずれか１項に記載の制御装置。
【請求項６】
コンピュータに、
装置の切り替え可能な状態の種別を示す種別画像に対するユーザの第１の操作を検出するステップと、
前記第１の操作が検出された後に、前記状態を切り替えるための切替画像に対するユーザの第２の操作を検出するステップと、
前記第２の操作が検出されると、前記状態を切り替える処理を実行するステップと
を実行させるためのプログラム。
【請求項７】
電子機器の切り替え可能な状態の種別を示す種別画像に対するユーザの第１の操作を検出するステップと、
前記第１の操作が検出された後に、前記状態を切り替えるための切替画像に対するユーザの第２の操作を検出するステップと、
前記第２の操作が検出されると、前記状態を切り替える処理を実行するステップと
を有する状態切替方法。
【発明の詳細な説明】
【技術分野】
【０００１】
本発明は、電子機器の各種状態を切り替えるための技術に関する。
【背景技術】
【０００２】
電子機器の多機能化に伴い、各機能のオン・オフをユーザが選択する機会も増える傾向にある。例えば、特許文献１には、車両に搭載するナビゲーション装置において、各種設定のうち利用可能とする機能を選択するための設定画面をタッチパネルに表示することが記載されている。この設定画面には、ある機能の利用の可否を示す画像（例えば、「する」、「しない」と表記された画像）がそれぞれの機能毎に表示されている。
【先行技術文献】
【特許文献】
【０００３】
【特許文献１】特開２０１２−７８２９８号公報（図６等）
【発明の概要】
【発明が解決しようとする課題】
【０００４】
一般に、類似する機能の設定は同一の画面で行えると望ましい。しかし、ユーザの操作を受け付けるための画像（ボタン、スイッチなど）を１画面に多数表示すると、誤操作を発生させる可能性も増加する。特に、画面のサイズが制限される携帯用の小型の電子機器（スマートフォン、デジタルスチルカメラなど）においては、このような懸念が顕著である。
そこで、本発明は、電子機器の各種設定において誤操作のおそれを低減するための技術を提供することを目的とする。
【課題を解決するための手段】
【０００５】
本発明は、電子機器の切り替え可能な状態の種別を示す種別画像と、前記状態を切り替えるための切替画像とを表示手段に表示させる表示制御部と、前記種別画像と前記切替画像とに対するユーザの操作を検出する検出部と、前記検出部により、前記種別画像に対する第１の操作が検出された後に前記切替画像に対する第２の操作が検出されると、前記状態を切り替える処理を実行する処理実行部とを備える制御装置を提供する。
【０００６】
また、前記表示制御部は、複数の種別毎の複数の前記種別画像と、前記種別画像の数よりも少ない数の前記切替画像とを表示させ、前記処理実行手段は、前記複数の種別画像のいずれかに対する前記第１の操作が検出された後に前記第２の操作が検出されると、当該第１の操作が検出された前記種別画像に対応する前記状態を切り替える構成であってもよい。
また、前記表示制御部は、前記種別画像に対する前記第１の操作が検出されると、前記電子機器の当該種別画像が示す種別の状態を前記切替画像の表示態様によって示す構成であってもよい。
また、前記表示制御部は、前記種別画像に対する前記第１の操作が検出されると、当該種別画像が示す種別に関連付けられた説明を表示させる構成であってもよい。
また、前記制御装置は、前記第１の操作及び前記第２の操作のそれぞれに応じた触覚的なフィードバックを実行するよう制御するフィードバック制御部を備える構成であってもよい。
【０００７】
また、本発明は、コンピュータに、装置の切り替え可能な状態の種別を示す種別画像に対するユーザの第１の操作を検出するステップと、前記第１の操作が検出された後に、前記状態を切り替えるための切替画像に対するユーザの第２の操作を検出するステップと、前記第２の操作が検出されると、前記状態を切り替える処理を実行するステップとを実行させるためのプログラムを提供する。
【０００８】
また、本発明は、電子機器の切り替え可能な状態の種別を示す種別画像に対するユーザの第１の操作を検出するステップと、前記第１の操作が検出された後に、前記状態を切り替えるための切替画像に対するユーザの第２の操作を検出するステップと、前記第２の操作が検出されると、前記状態を切り替える処理を実行するステップとを有する電子機器の状態切替方法を提供する。
【発明の効果】
【０００９】
本発明によれば、電子機器の各種設定において誤操作のおそれを低減することが可能である。
【図面の簡単な説明】
【００１０】
【図１】電子機器のハードウェア構成を示すブロック図
【図２】電子機器の機能的構成を示すブロック図
【図３】設定画面の一例を示す図
【図４】各機能の設定値の一例を示す図
【図５】電子機器の状態切替に関する処理を示すフローチャート
【図６】設定画面の画面遷移を例示する図
【図７】設定画面の画面遷移を例示する図
【図８】他の設定画面を例示する図
【図９】他の設定画面を例示する図
【発明を実施するための形態】
【００１１】
［実施例］
図１は、本発明の一実施例である電子機器１０のハードウェア構成を示すブロック図である。ここにおいて、電子機器１０は、スマートフォンであるとする。電子機器１０は、制御部１００と、記憶部２００と、通信部３００と、タッチスクリーン部４００と、バイブレータ部５００とを備える構成を有する。
【００１２】
制御部１００は、電子機器１０の各部の動作を制御する手段である。制御部１００は、ＣＰＵ（Central Processing Unit）などの演算処理装置やメモリを備え、所定のプログラムを実行することによって制御を行う。また、制御部１００は、タッチスクリーン部４００によって受け付けられたユーザからの操作に応じて、本発明に係る制御装置を実現する。
【００１３】
記憶部２００は、データを記憶する手段である。記憶部２００は、ハードディスクやフラッシュメモリなどの記録媒体を備え、制御部１００が制御に用いるデータを記憶している。例えば、記憶部２００は、制御部１００が実行するプログラムに加え、タッチスクリーン部４００に画像を表示させるための画像データ、電子機器１０に設定された各種の状態を記述した設定値などを記憶することができる。
【００１４】
通信部３００は、ネットワークを介してデータを送受信する手段である。通信部３００は、アンテナや、ネットワークの通信方式に対応したモデムなどを備え、データの変調・復調といったデータ通信に必要な処理を実行する。また、通信部３００は、複数の通信方式に対応し、データの送受信に用いる通信方式を必要に応じて切り替えられるように構成されていてもよい。ここでいう通信方式とは、例えば、いわゆる３Ｇ（第３世代移動通信システム）、ＬＴＥ（Long Term Evolution）、無線ＬＡＮ（Local Area Network）などである。
【００１５】
タッチスクリーン部４００は、画像を表示するとともにユーザの操作を受け付ける手段である。タッチスクリーン部４００は、より詳細には、表示部４１０とセンサ部４２０とを備える。表示部４１０は、液晶素子や有機ＥＬ（electroluminescence）素子により構成された表示パネル（すなわち表示領域）とこれを駆動する駆動回路とを備え、画像データに応じた画像を表示する。センサ部４２０は、表示部４１０の表示領域に重ねて設けられたセンサを備え、ユーザの操作に応じた座標情報を制御部１００に供給する。本実施例において、ユーザの操作とは、表示領域の任意の位置に指などによって接触することを指す。また、座標情報は、表示領域の所定の位置を原点とした２次元直交座標系の座標によって記述される。
【００１６】
バイブレータ部５００は、ユーザに触覚的なフィードバックを与える手段である。バイブレータ部５００は、振動を発生させる手段としてのモータを備え、制御部１００による制御に応じて電子機器１０を振動させる。例えば、バイブレータ部５００は、ユーザの操作に反応するように電子機器１０を振動させる。
【００１７】
図２は、電子機器１０の状態切り替えに関する機能的構成を示すブロック図である。電子機器１０の制御部１００は、所定のプログラムを実行することにより、表示制御部１１０、検出部１２０、処理実行部１３０及びフィードバック制御部１４０の各部に相当する機能を実現する。
【００１８】
表示制御部１１０は、表示部４１０による表示を制御する手段である。表示制御部１１０は、後述する所定の画像を表示部４１０に表示させるとともに、その表示態様を変化させる。表示制御部１１０は、検出部１２０により検出されたユーザの操作に応じて表示を制御することも可能である。
【００１９】
検出部１２０は、タッチスクリーン部４００に対するユーザの操作を検出する手段である。検出部１２０は、センサ部４２０から供給された座標情報と、操作時に表示部４１０により表示されていた画像とに基づいて、ユーザがどのような操作を行ったのかを検出する。
【００２０】
処理実行部１３０は、ユーザの操作に応じた処理を実行する手段である。処理実行部１３０は、検出部１２０により検出された操作に応じて、電子機器１０の状態を切り替える処理を実行する。ここにおいて、電子機器１０の状態を切り替える処理とは、例えば、電子機器１０の所定の機能のオン・オフを切り替える処理である。
【００２１】
フィードバック制御部１４０は、バイブレータ部５００に触覚的なフィードバックを実行させる手段である。フィードバック制御部１４０は、検出部１２０により検出された操作に応じた態様の振動を発生させるようにバイブレータ部５００を制御する。フィードバック制御部１４０は、検出されたユーザの操作毎に振動のパターンを変化させてもよいし、いずれの操作に対しても一定のパターンで振動させてもよい。
【００２２】
電子機器１０の構成は、以上のとおりである。電子機器１０は、この構成のもと、ユーザの操作に応じてさまざまな処理を実行する。電子機器１０は、例えば、電子メールやＳＭＳ（Short Message Service）のショートメッセージを送受信したり、ウェブページを表示したりする処理を実行可能である。電子機器１０が実行可能な処理は、電子機器１０にインストールされているアプリケーションプログラムによって異なり得る。
【００２３】
また、電子機器１０は、ユーザの操作に応じて機器の状態を変更することが可能である。ここでいう機器の状態とは、ユーザが操作によって変化させることができる機器の機能や能力のそのときどきでの様子のことをいう。機器の状態として挙げられるものには、例えば、所定の通信方式による通信を有効にするか否かや、他の電子機器とデータの同期や共有を許可するか否かがある。例えば、ユーザは、所定の操作を行うことによって、電子機器１０を他の電子機器と同期できない状態から同期できる状態に切り替えたり、あるいは逆の切り替えを行ったりすることができる。
【００２４】
図３は、電子機器１０における設定画面の一例を示す図である。ここにおいて設定できる機能は、「Ａ機能」、「Ｂ機能」、「Ｃ機能」、「Ｄ機能」、「Ｅ機能」、「Ｆ機能」、「Ｇ機能」、「Ｈ機能」の８種類である。これらの機能は、それぞれ、アイコン画像ＩＡ〜ＩＨによって示されている。ここにおいて、アイコン画像ＩＡ〜ＩＨは、各機能の種別を示す種別画像に相当するものである。なお、ここでいう機能は、図示したよりも多くても少なくてもよい。
【００２５】
また、スイッチ画像Ｓｗは、各機能の状態を切り替えるための切替画像に相当するものである。スイッチ画像Ｓｗは、ここでは、いわゆるロッカースイッチを模した画像である。本実施例において、Ａ機能〜Ｈ機能は、オン状態からオフ状態に、あるいはオフ状態からオン状態に切り替えることができる機能であるとする。オン状態とは、換言すれば当該機能が有効な状態をいい、オフ状態とは、換言すれば当該機能が無効な状態をいう。
【００２６】
図４は、各機能の設定値の一例を示す図である。電子機器１０の記憶部２００は、このような設定値を機能毎に記憶している。記憶部２００に記憶された設定値は、各機能の現在の状態を示しており、状態が変化すると制御部１００によって書き換えられるように構成されている。例えば、図４の例は、Ａ機能が現在オン状態であり、Ｂ機能が現在オフ状態であることを示している。
【００２７】
図５は、電子機器１０の状態切替に関する処理を示すフローチャートである。電子機器１０の制御部１００は、図３に示すような設定画面が表示されるときに本処理を実行する。まず、制御部１００は、設定画面の表示に際し、表示対象である各機能の設定値を記憶部２００から読み出して取得しておく（ステップＳ１）。なお、設定値の取得は、必ずしもこのタイミングで行われる必要はなく、後述するステップＳ４の処理を実行するタイミングで必要な機能の設定値のみが取得されてもよい。
【００２８】
次に、制御部１００は、表示部４１０に設定画面を表示させる（ステップＳ２）。このタイミングにおいて、スイッチ画像Ｓｗは、オン状態とオフ状態のいずれを示していてもよい。なぜならば、スイッチ画像Ｓｗは、アイコン画像ＩＡ〜ＩＨがいずれも選択されていない場合にあっては、いずれの機能の状態を示すものでもないからである。
【００２９】
ここで、制御部１００は、アイコン画像ＩＡ〜ＩＨのいずれかが選択されたか否かを判断する（ステップＳ３）。アイコン画像の選択は、当該アイコン画像をユーザが指などで触れる操作によって実現される。この操作は、本発明の「第１の操作」の一例に相当する。制御部１００は、いずれかのアイコン画像が選択されたことを検出すると、選択されたアイコン画像に対応する機能の状態を表示部４１０に表示させるとともに、触覚的なフィードバックを生じさせるようにバイブレータ部５００を制御する（ステップＳ４、Ｓ５）。このとき生じる触覚的なフィードバック（すなわち振動）は、ユーザに選択されたアイコン画像によって異なっていてもよい。
【００３０】
また、制御部１００は、必要に応じて、このとき状態を表示する機能に関連付けられた説明を表示部４１０に表示させる（ステップＳ６）。このとき表示される説明は、例えば、それぞれの機能の切り替えに関するヘルプや、ユーザに対して事前の確認を要する事項（例えば規約など）である。ただし、制御部１００は、当該機能に関連付けられた説明がない場合には、この処理を省略してもよい。
【００３１】
図６は、設定画面の画面遷移を例示する図である。図６に示す例は、図３に示した設定画面において、ユーザがアイコン画像ＩＡを選択した場合の画面表示を例示したものである。このとき、電子機器１０は、スイッチ画像Ｓｗの表示態様によって機能Ａの現在の状態を表示する。スイッチ画像Ｓｗは、図３の状態から図６の状態に遷移することによって、オフ状態からオン状態に切り替わっている。すなわち、図６の状態は、機能Ａが現在オン状態であることを示している。
【００３２】
なお、電子機器１０は、図６に示すように、ユーザによって選択されたアイコン画像（ここではＩＡ）を他のアイコン画像と異なる表示態様で表示してもよい。例えば、電子機器１０は、ユーザによって選択されたアイコン画像の色を変えてもよいし、点滅表示させたりしてもよい。このようにすれば、ユーザによって選択されたアイコン画像（及びこれに対応する機能）をユーザに容易に理解させ、他のアイコン画像と区別させることが可能である。
【００３３】
また、Ａ機能に関連付けられた説明は、ここではアイコンＩＡの下部に吹き出し（バルーン）によって表示されているが、他の表示態様で表示されてもよい。各機能の説明は、選択された機能によらず一定の位置に表示されてもよいし、選択された機能に対応するアイコン画像の近傍に表示されてもよい。
【００３４】
制御部１００は、このような設定画面を表示させながら、ユーザの操作を待機する。具体的には、制御部１００は、ユーザによってスイッチ画像Ｓｗが選択されたか否かを判断する（ステップＳ７）。ここで、ユーザがスイッチ画像Ｓｗを選択し、状態を切り替える操作を行ったら、制御部１００は、ステップＳ３において選択されたアイコン画像に対応する機能の状態を切り替えるとともに、これに合わせてスイッチ画像Ｓｗの表示も切り替える（ステップＳ８、Ｓ９）。この操作は、本発明の「第２の操作」の一例に相当する。
【００３５】
また、制御部１００は、触覚的なフィードバックを生じさせるようにバイブレータ部５００を制御し、スイッチ画像Ｓｗが選択されたことをユーザに通知する（ステップＳ１０）。なお、制御部１００は、ステップＳ５とステップＳ１０とで振動のパターンを異ならせるようにしてもよい。
【００３６】
図７は、設定画面の画面遷移を例示する図である。図７に示す例は、図６に示した設定画面において、ユーザがスイッチ画像Ｓｗを選択した場合の画面表示を例示したものである。このとき、ユーザがスイッチ画像Ｓｗを選択すると、Ａ機能の状態がオン状態からオフ状態に切り替わり、スイッチ画像Ｓｗの表示態様がオン状態からオフ状態に切り替わる。このとき、制御部１００は、記憶部２００に記憶された設定値を、現在の状態が反映されるように書き換える。なお、制御部１００は、適当なタイミングで説明を非表示にしてよい。
【００３７】
最後に、制御部１００は、本処理を終了するか否かを判断する（ステップＳ１１）。例えば、制御部１００は、ユーザが設定画面を非表示にし、別の画面を表示させるような場合には、本処理を終了する。一方、設定画面が表示されたまま、新たな操作が行われるような場合には、制御部１００は、ステップＳ３以降の処理を繰り返す。また、制御部１００は、ステップＳ３においてアイコン画像が選択されなかった場合や、ステップＳ７においてスイッチ画像Ｓｗが選択されなかった場合にも、ステップＳ１１の判断を実行する。
【００３８】
以上のとおり、本実施例によれば、ユーザは、アイコン画像を選択してから機能の切り替えを行うことになる。また、アイコン画像を選択した場合、当該アイコン画像の表示態様を変更させたり、当該アイコン画像に対応する機能の説明を表示させたり、触覚的なフィードバックを与えたりすることも可能である。これにより、ユーザは、同一の設定画面内に多数の設定項目が表示されるような場合であっても、誤操作を行うおそれを少なくすることが可能である。
【００３９】
また、本実施例によれば、アイコン画像が複数表示されるのに対して、当該アイコン画像に対応する機能を切り替えるためのスイッチ画像は、アイコン画像よりも少ない数でよく、１つ表示されるだけでも十分である。したがって、本実施例によれば、各アイコン画像に対応するスイッチ画像をそれぞれ表示させる場合に比べ、１画面当たりの情報量を少なくし、画面表示に余裕を持たせることが可能である。このような作用効果は、電子機器１０が小型であり、その表示領域のサイズが制限される場合に、特に顕著に認められる。
【００４０】
［変形例］
本発明は、上述した実施例の態様に限らず、他の態様でも実施することができる。以下に示すのは、本発明の他の態様の一例である。なお、これらの変形例は、必要に応じて、各々を適宜組み合わせることも可能である。
【００４１】
（１）本発明において、設定画面に表示される切替画像は、オン・オフを区別可能なものであればよく、上述したロッカースイッチ（図３）に限定されない。例えば、切替画像は、プッシュスイッチ、レバースイッチ、スライドスイッチなどであってもよい。また、設定画面に表示される切替画像は、必ずしも１つでなくてもよい。すなわち、切替画像は、種別画像と同数あってもよい。ただし、１画面当たりの情報量を少なくしたい場合であれば、切替画像の数は種別画像の数よりも少ない方が望ましいといえる。
【００４２】
図８、図９は、本発明に係る設定画面の他の例を示す図である。図８は、切替画像をスイッチ画像Ｓｗ１に変更したほかは、図３と同様のものである。スイッチ画像Ｓｗ１は、ユーザの操作によってノブ（つまみ）が左右にスライドする画像であり、ノブが左にある状態がオン状態を示し、ノブが右にある状態がオフ状態を示している。一方、図９は、スイッチ画像をそれぞれの機能毎に設けた例である。
【００４３】
図９において、ボタン画像ＢＡ、ＢＢ、ＢＣ、ＢＤ、ＢＥ、ＢＦ、ＢＧ、ＢＨは、それぞれ、各機能に対応する種別画像に相当する。また、スイッチ画像ＳｗＡ、ＳｗＢ、ＳｗＣ、ＳｗＤ、ＳｗＥ、ＳｗＦ、ＳｗＧ、ＳｗＨは、それぞれ、各機能に対応する切替画像に相当する。スイッチ画像ＳｗＡ〜ＳｗＨは、ノブが左にある状態（ＳｗＡ、ＳｗＤ、ＳｗＨ）がオン状態を示し、ノブが右にある状態（ＳｗＢ、ＳｗＣ、ＳｗＥ、ＳｗＦ、ＳｗＧ）がオフ状態を示している。
【００４４】
この例において、ユーザは、例えばＡ機能の状態を切り替えるときには、ボタン画像ＢＡを選択し、次いで、スイッチ画像ＳｗＡを選択する。スイッチ画像ＳｗＡを選択する操作は、例えば、単にこれに触れるだけの操作であってもよいし、ノブを右（又は左）にスライドさせるようにドラッグする操作であってもよい。
【００４５】
（２）本発明の状態は、二者択一的に切り替わるものに限定されない。換言すれば、本発明の切替画像は、電子機器の状態を３段階以上で示し、これを切り替えるものであってもよい。このような電子機器の状態としては、例えば、音量や画面の明るさを挙げることができる。また、この場合の切替画像は、多段階のスライドスイッチ（スライダー）やロータリースイッチであってもよい。
【００４６】
（３）本発明において、ユーザの操作に対するフィードバックは、触覚的なフィードバックに限らず、例えば、ビープ音やクリック音のような聴覚的なフィードバックであってもよい。また、ユーザの操作に対するフィードバックは、複数の手段を組み合わせて行われてもよい。
【００４７】
（４）本発明の操作手段は、タッチスクリーンに限定されない。例えば、本発明の操作手段は、種別画像や切替画像を机上や壁面に投影し、赤外線や可視光によって指の位置を検出することによって操作を検出するものであってもよい。また、本発明の操作は、必ずしも指で行われる必要はなく、スタイラス（スタイラスペン、タッチペンともいう。）を用いて行われてもよい。ここでは、指とこれに代替する指示用の器具とを総称して「指示体」という。
【００４８】
また、本発明の操作は、指示体を表示領域に接触させるものに限定されない。例えば、静電容量式のタッチスクリーンは、指が接触したことだけでなく、指が（接触せずに）近接した状態をも検知可能である。本発明の操作手段は、このような指が近接した状態に基づいて操作を検出するものであってもよい。例えば、本発明は、種別画像に指が近接した段階でバイブレーションを発生させたり、種別画像の表示態様を変化させたりするものであってもよい。
【００４９】
（５）本発明の制御装置は、スマートフォン以外のさまざまな電子機器にも適用可能である。例えば、本発明は、いわゆるタブレットＰＣ（Personal Computer）、デジタルスチルカメラ、携帯ゲーム機、携帯音楽プレーヤ、電子書籍リーダー、電子辞書などの制御装置としても適用可能である。また、本発明の制御装置は、制御対象の電子機器に内蔵されている必要はなく、電子機器を外部から制御するものであってもよい。
【００５０】
また、本発明は、制御装置としてだけではなく、これを備えた電子機器、かかる電子機器の状態の切替方法、コンピュータを本発明の制御装置として機能させるためのプログラムとして特定されてもよい。また、本発明に係るプログラムは、光ディスクなどの記録媒体に記録した形態や、インターネットなどのネットワークを介して、コンピュータにダウンロードさせ、これをインストールして利用可能にする形態などでも提供することができる。
【符号の説明】
【００５１】
１０…電子機器、１００…制御部、１１０…表示制御部、１２０…検出部、１３０…処理実行部、１４０…フィードバック制御部、２００…記憶部、３００…通信部、４００…タッチスクリーン部、４１０…表示部、４２０…センサ部、５００…バイブレータ部
【図１】
2014085767.tif 000003
【図２】
2014085767.tif 000004
【図３】
2014085767.tif 000005
【図４】
2014085767.tif 000006
【図５】
2014085767.tif 000007
【図６】
2014085767.tif 000008
【図７】
2014085767.tif 000009
【図８】
2014085767.tif 000010
【図９】
2014085767.tif 000011